(57)【要約】【課題】景観が良い建具を提供する。【解決手段】室内外を連通する開口部に設けられた枠体と、縦框を有して前記開口部を開閉自在に前記枠体に取り付けられた障子と、を備えた建具であって、前記障子は、当該障子の開閉時に把持される把持部材と、前記把持部材とともに前記縦框の所定の面を覆うカバー部材と、を有しており、前記把持部材と前記カバー部材との境界を覆うための覆い部が、前記把持部に設けられている。【選択図】図２
2008169617.tif 000002
【特許請求の範囲】
【請求項１】
室内外を連通する開口部に設けられた枠体と、縦框を有して前記開口部を開閉自在に前記枠体に取り付けられた障子と、を備えた建具であって、
前記障子は、当該障子の開閉時に把持される把持部材と、前記把持部材とともに前記縦框の所定の面を覆うカバー部材と、を有しており、
前記把持部材と前記カバー部材との境界を覆うための覆い部が、前記把持部に設けられていることを特徴とする建具。
【請求項２】
請求項１に記載の建具であって、
前記把持部材と前記カバー部材とは、前記所定の面に沿って並べて配置され、
前記境界は、前記把持部材と前記カバー部材との突き合わせ部であることを特徴とする建具。
【請求項３】
請求項１または請求項２に記載の建具であって、
前記把持部材は、当該把持部材側から前記縦框側に向かう方向に進入するねじにて前記縦框にねじ止めされており、
前記ねじ止めされている部位は、前記カバー部材に覆われていることを特徴とする建具。
【請求項４】
請求項１に記載の建具であって、
前記把持部材は、前記縦框側に向かって突出された突部を有し、前記カバー部材は前記突部が挿入される挿入穴を有し、
前記把持部材は、前記突部が前記挿入穴に挿入された状態で前記カバー部材に固定され、
前記境界は、前記突部と前記挿入穴との境界であることを特徴とする建具。
【請求項５】
請求項４に記載の建具であって、
前記把持部材は、前記カバー部材に対して縦框側と反対側に突出する部位の厚みが、中央部より端部のほうが薄く形成されており、
前記突部を、前記把持部材の端部から前記縦框側に延出させて設けたことを特徴とする建具。
【請求項６】
請求項４又は請求項５に記載の建具であって、
前記縦框には、前記挿入穴を貫通した前記突部が支持される支持部が設けられていることを特徴とする建具。
【請求項７】
請求項４乃至請求項６のいずれかに記載の建具であって、
前記把持部材は、前記カバー部材側から前記把持部材側に向かう方向に進入するねじにて、前記カバー部材にねじ止めされていることを特徴とする建具。
【発明の詳細な説明】
【技術分野】
【０００１】
本発明は、枠体と、縦框を備え、枠体に対して開閉自在に取り付けられた障子と、を備える建具に関する。
【背景技術】
【０００２】
枠体と、縦框を備え枠体に対して開閉自在に取り付けられた障子と、を備える建具は、既によく知られている。かかる建具の中には、前記障子の縦框に把持部材が設けられているものがあり、かかる建具を取り扱う取り扱い者（ユーザー等）は、該把持部材を把持して前記障子の開閉を行う（例えば、特許文献１参照）。
【特許文献１】特許第２７２６６２６号明細書
【発明の開示】
【発明が解決しようとする課題】
【０００３】
前述した把持部材や把持部材周辺の構成は、ユーザー等が該把持部材を把持し易いように、また、ユーザー等が該把持部材を把持して障子の開閉を行い易いように、設計される必要があり、今までにも、かかる点が考慮されて当該設計が行われてきた。
【０００４】
しかしながら、近年においては、かかる点だけではなく、把持部材や把持部材周辺のデザイン性にも、より顕著に注目が集まるようになってきた。すなわち、景観が良い建具が、より顕著に要請されるようになってきた。
【０００５】
本発明は、かかる課題に鑑みてなされたものであり、その目的とするところは、景観が良い建具を提供することにある。
【課題を解決するための手段】
【０００６】
かかる目的を達成するために本発明の建具は、室内外を連通する開口部に設けられた枠体と、縦框を有して前記開口部を開閉自在に前記枠体に取り付けられた障子と、を備えた建具であって、前記障子は、当該障子の開閉時に把持される把持部材と、前記把持部材とともに前記縦框の所定の面を覆うカバー部材と、を有しており、前記把持部材と前記カバー部材との境界を覆うための覆い部が、前記把持部に設けられていることを特徴とする建具である。  
このような建具によれば、把持部材とカバー部材との境界が把持部材に設けられた覆い部により覆われることになる。このため、縦框の所定の面を覆う把持部材とカバー部材とがすっきりと収まり、景観が良い建具が実現される。
【０００７】
かかる建具であって、前記把持部材と前記カバー部材とは、前記所定の面に沿って並べて配置され、前記境界は、前記把持部材と前記カバー部材との突き合わせ部であることが望ましい。  
このような建具によれば、把持部材とカバー部材との突き合わせ部であっても、縦框の所定の面を覆う把持部材とカバー部材との間に間隙等が露出しないので、景観が良い建具が実現される。
【０００８】
かかる建具であって、前記把持部材は、当該把持部材側から前記縦框側に向かう方向に進入するねじにて前記縦框にねじ止めされており、前記ねじ止めされている部位は、前記カバー部材に覆われていることが望ましい。  
このような建具によれば、把持部材がねじ止めされている部位もカバー部材にて覆われているので、より景観が良い建具が実現される。
【０００９】
かかる建具であって、前記把持部材は、前記縦框側に向かって突出された突部を有し、前記カバー部材は前記突部が挿入される挿入穴を有し、前記把持部材は、前記突部が前記挿入穴に挿入された状態で前記カバー部材に固定され、前記境界は、前記突部と前記挿入穴との境界であることとしてもよい。  
このような建具によれば、把持部材は、突部が挿入穴に挿入された状態でカバー部材に固定されているので、カバー部材に対し把持部材を適切な位置に固定することが可能である。また、突部と挿入穴との境界が覆い部により覆われているので、突部と挿入穴との境界、すなわち把持部材とカバー部材との間に間隙等が露出しないため、景観が良い建具が実現される。
【００１０】
かかる建具であって、前記把持部材は、前記カバー部材に対して縦框側と反対側に突出する部位の厚みが、中央部より端部のほうが薄く形成されており、前記突部を、前記把持部材の端部から前記縦框側に延出させて設けたことを特徴とする。  
このような建具によれば、把持部材の端部は、厚みが薄く強度が低くなる畏れがあるが、突部を、把持部材の端部から縦框側に延出させて設けたので、より高い強度を備えた把持部材を提供することが可能である。
【００１１】
かかる建具であって、前記縦框には、前記挿入穴を貫通した前記突部が支持される支持部が設けられていることが望ましい。  
このような建具によれば、把持部材に設けられた突部が支持される支持部が縦框に設けられているので、突部を支持部に支持させることにより、縦框に対し把持部材を適切な位置に、かつ、容易に取り付けることが可能である。
【００１２】
かかる建具であって、前記把持部材は、前記カバー部材側から前記把持部材側に向かう方向に進入するねじにて、前記カバー部材にねじ止めされていることが望ましい。  
このような建具によれば、把持部材をカバー部材に固定するためのねじは縦框側、すなわち内側に隠れることになる。このため、ねじが見えず、より一層景観が良い建具が実現される。
【発明の効果】
【００１３】
本発明によれば、景観が良い建具を提供することができるという効果がある。
【発明を実施するための最良の形態】
【００１４】
以下、本発明の一実施形態に係る建具１０について、図１〜図５を参照して説明する。  
本実施形態では、建物の開口を部分的に閉塞し、図１に示すようなガラスが嵌め付けられたＦＩＸ窓６０と、ＦＩＸ窓６０にて閉塞されていない部分を閉塞可能に設けられた移動可能な障子２０とを備えた建具１０を例に挙げて説明する。以下の説明においては、建具を室内側から見たときに上下となる方向を上下方向、左右となる方向を左右方向または見付け方向、奥行き方向を見込み方向として示す。
【００１５】
枠体１４は、障子２０及びＦＩＸ窓６０よりも上側及び下側に位置する横枠としての上枠１４ａ及び下枠１４ｂと、左側及び右側に位置する左縦枠１４ｃ及び右縦枠１４ｄと、を有している。
【００１６】
ＦＩＸ窓６０は、障子２０よりも、見込み方向における室外側、かつ、見付け方向における左側に位置しており、見付け方向における窓幅は、障子２０の窓幅よりも大きく形成されている。本実施形態では、枠体１４を構成する上枠１４ａ、下枠１４ｂ、左右の縦枠１４ｃ、１４ｄのうちの上枠１４ａ、下枠１４ｂ、左側に位置する縦枠１４ｃと、上枠１４ａと下枠１４ｂとの間に設けられた縦骨（不図示）とにガラス５が保持されてＦＩＸ窓６０が構成されている。
【００１７】
障子２０は、ＦＩＸ窓６０よりも、見込み方向における室内側、かつ、見付け方向における右側に位置し、下枠１４ｂに設けられたレール上を見付け方向に沿ってスライド可能に構成されている。障子２０は、当該障子２０の上側及び下側にそれぞれ位置する上框２２及び下框２４と、当該障子２０の見付け方向における左側及び右側にそれぞれ位置する左縦框２６及び右縦框２８と、障子２０の開閉時に把持される把持部材３０と、把持部材３０とともに左縦框２６の室内側面を覆うカバー部材４５と、を有している。ここで、左縦框２６は、障子２０が閉じられた際に、ＦＩＸ窓６０を構成している縦骨と対向する内召合框２６である。
【００１８】
そして障子２０は、ユーザー等が障子２０の内召合框２６に設けられた把持部材３０を把持して該障子２０を、見付け方向に移動させることにより開閉可能に構成されている。
【００１９】
以下では、内召合框２６に設けられた把持部材３０と、把持部材３０の周辺部の構成について、二つの例（第一実施形態及び第二実施形態）を挙げて、より詳細に説明する。
【００２０】
把持部材３０が設けられる内召合框２６は、アルミニウム製の押出成形部材であり、把持部材３０が取り付けられる室内側面２６ａには、図２及び図３に示すように、上下方向に沿った溝部２７が、内召合框２６の全長に亘って設けられている。溝部２７には把持部材３０が、その一部が埋め込まれてねじ止めされるとともに、把持部材３０が埋め込まれていない部位は、カバー部材４５にて覆われている。
【００２１】
把持部材３０は、所謂ダイキャスト法により製造された縦長の部材であり、上下方向における中央から、上側の部位と下側の部位とが対称の形状に形成されている。把持部材３０は、図１に示すように、ユーザー等が把持し易いように、内召合框２６の上下方向におけるほぼ中央部に位置している。
【００２２】
第一実施形態に係る建具１０の把持部材３０は、外部に露出してユーザーが把持するための把持部材本体３１と、把持部材本体３１の長手方向における両端部から延出されて、把持部材３０を内召合框２６にねじ止めするためのねじ止め部３３と、把持部材３０およびカバー部材４５が溝部２７に取り付けられた際に、把持部材３０とカバー部材４５との境界を覆うための覆い部３５と、を有している。
【００２３】
図２に示すように、把持部材本体３１の上下方向における中央部の厚み、すなわち、見込み方向において溝部２７の底面２７ａから室内側に突出する量は、把持部材本体３１の上下方向における端部側の厚みよりも厚く形成されている。より具体的には、把持部材本体３１の厚みは、上下方向における中央部より端部の方が薄くなるように、中央部から端部に向かって順次薄くなるような滑らかな曲面に、表面が形成されている。また、図１や図３に示すように、把持部材本体３１は、見付け方向における幅が、上下方向における中央部が、上下の端部の幅よりも狭く形成されている。より具体的には、把持部材本体３１の幅は、上下方向における端部から中央部に向かって順次狭くなるように形成されている。
【００２４】
ねじ止め部３３は、把持部材本体３１の長手方向における両端部であって、内召合框２６に取り付けられた状態で、内召合框２６側となる部位から延出されて設けられている。ねじ止め部３３の厚みは、把持部材本体３１の端部の厚みよりも十分に薄い薄板状に形成され、略中央には、ねじ穴３３ａが設けられている。
【００２５】
覆い部３５は、ねじ止め部３３と同様、把持部材本体３１の長手方向における両端部から、僅かに突出されている部位である。覆い部３５は、把持部材本体３１の端部において、内召合框２６に把持部材３０が取り付けられた状態で、把持部材本体３１の表面側となる部位から延出されて設けられている。
【００２６】
カバー部材４５は、内召合框２６の室内側面２６ａの溝部２７において、把持部材３０が埋め込まれていない部位を覆うように、把持部材３０の上下にそれぞれ設けられている。
【００２７】
本実施の形態においては、図３の中央図に示すように、内召合框２６の室内側面２６ａに設けられた溝部２７だけでなく、把持部材３０のねじ止め部３３をも覆っている。すなわち、ねじ止め部３３は、カバー部材４５の上下方向における端部４８に覆われていることとなる。カバー部材４５は、溝部２７に沿ってスライドさせられて、又は、溝部２７に嵌め込まれることにより、内召合框２６に取り付けられ、カバー部材４５は、カバー部材４５の端面４５ａが把持部材本体３１の上下の端面３１ａ、３１ｂに接触するように、取り付けられている。このとき、カバー部材４５の端面４５ａは把持部材３０の覆い部３５の室外側にて把持部材本体３１の上下の端面３１ａ、３１ｂと接触する。このため、把持部材３０とカバー部材４５との境界としての把持部材本体３１の上下の端面３１ａ、３１ｂとカバー部材４５の端面４５ａとの境界は、覆い部３５により覆われている。すなわち、把持部材３０の上端側の覆い部３５は、把持部材本体３１の上側の端面３１ａと上側のカバー部材４５の下端部との境界を覆っており、下端側の覆い部３５は、把持部材本体３１の下側の端面３１ｂと下側のカバー部材４５の上端部を覆っている。
【００２８】
第一実施形態に係る建具１０によれば、把持部材本体３１の上下の端面３１ａ、３１ｂとカバー部材４５の端面４５ａとの境界は、覆い部３５により覆われているので、内召合框２６の室内側面２６ａを覆う把持部材３０とカバー部材４５とがすっきりと収まり、景観が良い建具１０が実現される。
【００２９】
また、把持部材３０とカバー部材４５とが、室内側面２６ａに沿って並べて配置されて把持部材３０とカバー部材４５とが突き合わせられる構成であっても、突き合わせられる、把持部材本体３１の上下の端面３１ａ、３１ｂとカバー部材４５の端面４５ａとの境界は、覆い部３５により覆われるので、把持部材３０とカバー部材４５との突き合わせ部に、見込み方向に連通するような間隙等が露出しないので、景観が良い建具１０が実現される。
【００３０】
さらに、カバー部材４５により、把持部材３０がねじ止めされているねじ止め部３３及びねじ４０が覆われているので、より景観が良い建具１０が実現される。
【００３１】
次に、第二実施形態に係る建具について、図４及び図５を用いて説明する。以下の説明においては、第１実施形態と同様の部材には同一の符号を付し、その説明を省略する。
【００３２】
第二実施形態に係る建具における把持部材１３０の室内側から見える形状は、第一実施形態に係る把持部材３０とほぼ同様である。すなわち、図４、図５に示すように、把持部材１３０の上下方向における中央部が、すなわち、見込み方向において室内側に最も突出し、中央部から上下の両端部に向かって順次突出量が小さくなるような滑らかな曲面に、表面が形成されている。また、把持部材１３０の見付け方向における幅は、上下方向における端部から中央部に向かって順次狭くなるように形成されている。
【００３３】
第二実施形態に係る把持部材１３０は、把持部材１３０とともに内召合框１２６の室内側面１２６ａを覆うカバー部材１４５が１つの部材であり、上下方向に沿った溝部１２７のほぼ全長に亘って設けられており、把持部材１３０がカバー部材１４５に取り付けられている点で、第一実施形態と相違する。
【００３４】
第二実施形態にかかる把持部材１３０は、ユーザーが把持するための把持部材本体１３１と、把持部材本体１３１の長手方向における両端部１３１ｂから内召合框１２６側に突出した突部１３４と、把持部材１３０およびカバー部材１４５が溝部１２７に取り付けられた際に、把持部材１３０とカバー部材１４５との境界を覆うための覆い部１３５と、を有している。
【００３５】
第２実施形態にかかるカバー部材１４５は、溝部１２７を内召合框１２６の室内側面１２６ａと同じ平面を形成するように内召合框１２６に取り付けられ、把持部材１３０が取り付けられる位置に、把持部材１３０が有する突部１３４が挿入される２つの挿入穴１４６が設けられている。
【００３６】
そして、本実施の形態においては、把持部材１３０の突部１３４が、挿入穴１４６を貫通するように挿入され、かかる状態で、把持部材１３０が、カバー部材１４５に取り付けられている。このとき、突部１３４は、挿入穴１４６に対し、ほぼ隙間のない状態で嵌合されており、突部１３４が挿入穴１４６に嵌合されることにより、把持部材１３０がカバー部材１４５に対して適切に位置決めされている。すなわち、突部１３４及び挿入穴１４６は、把持部材１３０のカバー部材１４５に対する相対位置を決めるための位置決め機能も備えている。そして、図５の左図に示すように、把持部材１３０は、カバー部材１４５側から把持部材１３０側に向かう方向に進入するねじ４０にて、カバー部材１４５にねじ止めされている。このため、把持部材１３０は、突部１３４以外の部位、すなわち、把持部材本体１３１と覆い部１３５とが、カバー部材１４５に対して内召合框１２６とは反対側となる室内側設けられている。このため、把持部材本体１３１と覆い部１３５とは、中央部１３１ａの厚みＴｃより端部１３１ｂの厚みＴｅのほうが薄く形成され、把持部材本体１３１の上下の端部１３１ｂにて薄肉となる部位に突部１３４が設けられている。そして、上下の突部１３４が挿入穴１４６に挿入されたときに、上側の突部１３４の上面１３４ａと挿入穴１４６の上側の縁部１４６ａとの境界が、上側の覆い部１３５ａにより覆われ、下側の突部１３４の下面１３４ｂと挿入穴１４６の下側の縁部１４６ｂとの境界が、下側の覆い部１３５ｂにより覆われる。
【００３７】
また、第２実施形態の内召合框１２６には、把持部材１３０が固定されたカバー部材１４５が取り付けられた際に、カバー部材１４５の挿入穴１４６を貫通した下側の突部１３４を支持する支持部１２８が溝部１２７内に向かって突出されている。支持部１２８は、挿入穴１４６を貫通した下側の突部１３４が載置されることにより、カバー部材１４５と一体となった把持部材１３０を下方から支持する。すなわち、支持部１２８は、把持部材１３０及びカバー部材１４５を下方から支持し、カバー部材１４５及び把持部材１３０のずれ落ちを防止している。
【００３８】
第２実施形態にかかる建具１０によれば、把持部材１３０は、突部１３４が挿入穴１４６に挿入された状態でカバー部材１４５に固定されているので、カバー部材１４５に対し把持部材１３０を適切な位置に位置決めして備えることが可能である。また、上下の突部１３４が挿入穴１４６に挿入されると把持部材１３０に設けられた覆い部１３５により、上側の突部１３４の上面１３４ａと挿入穴１４６の上側の縁部１４６ａとの境界が上側の覆い部１３５ａにより覆われ、下側の突部１３４の下面１３４ｂと挿入穴１４６の下側の縁部１４６ｂとの境界が、下側の覆い部１３５ｂにより覆われる。このため、突部１３４と挿入穴１４６との境界、すなわち把持部材１３０とカバー部材１４５との間に間隙等が露出しないため、景観が良い建具１０が実現される。
【００３９】
また、第２実施形態の把持部材１３０は、第１実施形態と同様に、把持部材１３０と把持部材１３０が取り付けられる部材との双方が、連続していてあたかも一つの部材と感じられるような感覚を増すために、把持部材本体１３１における上下方向の中央部１３１ａが最も室内側に突出し、端部１３１ｂ側に向かって順次突出量が小さくなるような曲面に形成されている。このとき、第２実施形態のように、把持部材１３０が１本のカバー部材１４５に取り付けられていると、把持部材１３０は、カバー部材１４５に対して内召合框１２６とは反対側に突出する把持部材本体１３１の端部１３１ｂにおける厚みが薄くなり強度が低くなる畏れがある。このため、突部１３４を把持部材本体１３１の上下端部１３１ｂから各々内召合框１２６側に突出させて設けることにより、把持部材本体１３１の端部１３１ｂが高い強度を備え、かつ、美観に優れた把持部材１３０を提供することが可能である。
【００４０】
また、カバー部材１４５と把持部材１３０とは、挿入穴１４６を貫通した突部１３４が、内召合框１２６の支持部１２８に支持されるので、内召合框１２６に対する把持部材１３０の上下方向における位置を適切な位置に配置し、かつ、容易に取り付けることが可能である。
【００４１】
また、把持部材１３０をカバー部材１４５に固定するためのねじ４０は内召合框１２６側、すなわち内召合框１２６内に隠れることになるので、外部からはねじ４０が見えず、景観が良い建具が実現される。さらに、把持部材１３０がカバー部材１４５に固定される際には、突部１３４が挿入穴１４６に嵌合されているので、把持部材１３０を押さえることなくねじ４０を回しても、ねじ４０とともに把持部材１３０の向きが変わってしまうことを防止することが可能である。
【００４２】
第２実施形態では、把持部材１３０に設けられた突部１３４がカバー部材１４５の挿入穴１４６を貫通する例について説明したが、カバー部材には、凹部が設けられており、突部１３４が凹部に入り込む形態であっても構わない。
【００４３】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４４】
上記実施の形態においては、他の障子としてＦＩＸ窓６０を、例に挙げて説明したが、これに限定されるものではなく、例えば、他の障子も、障子であることとしてもよい。
【００４５】
また、上記実施の形態においては、縦框として内召合框２６を例に挙げて説明したが、これに限定されるものではなく、例えば、戸先框（右縦框）２８であってもよい。
【００４６】
また、第二実施形態にかかる把持部材本体１３１の上下方向における端部１３１ｂの厚みは、把持部材本体１３１の上下方向における中央部１３１ａ、の厚みよりも薄くなっており、突部１３４は、端部１３１ｂの裏面１３１ｃから突出していることとした。すなわち、把持部材本体１３１の端部１３１ｂを薄くし、かつ、その強度を高める目的で、端部１３１ｂの裏面１３１ｃから突部１３４を突出させるようにしたが、これに限定されるものではなく、突部１３４を、把持部材本体１３１のどの部分から突出させてもよい。
【図面の簡単な説明】
【００４７】
【図１】本実施形態に係る建具を室内から見たときの概略正面図である。
【図２】第一実施形態に係る把持部材を示す縦断面図である。
【図３】第一実施形態に係る把持部材の構成を説明するための斜視図である。
【図４】第二実施形態に係る把持部材を示す縦断面図である。
【図５】第二実施形態に係る把持部材の構成を説明するための斜視図である。
【符号の説明】
【００４８】
１０  建具、１４  枠体、２０  障子、２６  内召合框、２６ａ  室内側面、
３０  把持部材、３５  覆い部、４０  ねじ、４５  カバー部材、
１２６  内召合框、１２８  支持部、１３０  把持部材、１３５  覆い部、
１４５  カバー部材、１４６  挿入穴
【図１】
2008169617.tif 000003
【図２】
2008169617.tif 000004
【図３】
2008169617.tif 000005
【図４】
2008169617.tif 000006
【図５】
2008169617.tif 000007